【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）に使用するアップリンク（ＵＬ）コンポーネントキャリア（ＣＣ）のセットを決定することと、ＵＬ  ＣＣの前記セットが、第１の無線周波数スペクトル帯域における少なくとも１つのＵＬ  ＣＣと第２の無線周波数スペクトル帯域における少なくとも１つのＵＬ  ＣＣとを備える、
サブフレームに関して、送信予定のアップリンク制御情報（ＵＣＩ）を識別することと、ここにおいて、前記ＵＣＩが１つまたは複数のＣＣに関連付けられる、
前記ＵＣＩの送信に利用可能なＵＬ  ＣＣを、前記第１の無線周波数スペクトル帯域における前記少なくとも１つのＵＬ  ＣＣに限定することと、
前記ＵＥのためのインジケータを送信することと、ここにおいて、前記インジケータが前記限定することに関連付けられる、
を備える方法。
【請求項２】
前記第１の無線周波数スペクトル帯域は専用無線周波数スペクトル帯域であり、前記第２の無線周波数スペクトル帯域は共有無線周波数スペクトル帯域である、請求項１に記載の方法。
【請求項３】
前記決定することは、
アップリンクキャリアアグリゲーション動作のためのＵＬ  ＣＣの前記セットを決定することを備える、請求項１に記載の方法。
【請求項４】
前記決定することは、
デュアル接続動作におけるＣＣの１次グループまたはＣＣの２次グループとして使用する、前記デュアル接続動作のためのＵＬ  ＣＣの前記セットを決定することを備える、請求項１に記載の方法。
【請求項５】
前記限定することは、
前記ＵＥが前記サブフレームの間の並列の物理アップリンク制御チャネル（ＰＵＣＣＨ）および物理アップリンク共有チャネル（ＰＵＳＣＨ）送信のために構成されないと決定することを備える、請求項１に記載の方法。
【請求項６】
前記サブフレームの間に前記第１の無線周波数スペクトル帯域においてＰＵＳＣＨ送信が利用不可であると決定することと、
前記利用可能なＵＬ  ＣＣを前記第１の無線周波数スペクトル帯域におけるＰＵＣＣＨ  ＣＣに限定することと
をさらに備える、請求項５に記載の方法。
【請求項７】
前記サブフレームの間に前記第１の無線周波数スペクトル帯域において少なくとも１つのＰＵＳＣＨ送信が利用可能であると決定することと、
前記利用可能なＵＬ  ＣＣを前記第１の無線周波数スペクトル帯域における第１のＰＵＳＣＨ  ＣＣに限定することと
をさらに備える、請求項５に記載の方法。
【請求項８】
非周期的チャネル状態情報（ＣＳＩ）が前記サブフレームの間に前記第１のＰＵＳＣＨ  ＣＣ上で送信されるようにトリガされることに少なくとも部分的に基づいて、前記第１のＰＵＳＣＨ  ＣＣを選択することをさらに備える、請求項７に記載の方法。
【請求項９】
前記第１のＰＵＳＣＨ  ＣＣに関連する第１のＣＣインデックスに少なくとも部分的に基づいて、前記第１のＰＵＳＣＨ  ＣＣを選択することをさらに備える、請求項７に記載の方法。
【請求項１０】
前記第１のＣＣインデックスに少なくとも部分的に基づいて、前記第１のＰＵＳＣＨ  ＣＣを選択することは、
前記第１のＣＣインデックスが第２のＰＵＳＣＨ  ＣＣに関連する第２のＣＣインデックスよりも低いことに少なくとも部分的に基づいて、前記第１のＰＵＳＣＨ  ＣＣを選択することを備える、請求項９に記載の方法。
【請求項１１】
前記限定することは、
前記ＵＥが前記サブフレームの間の並列の物理アップリンク制御チャネル（ＰＵＣＣＨ）および物理アップリンク共有チャネル（ＰＵＳＣＨ）送信のために構成されると決定することを備える、請求項１に記載の方法。
【請求項１２】
前記サブフレームの間に前記第１の無線周波数スペクトル帯域においてＰＵＳＣＨ送信が利用不可であると決定することと、
前記利用可能なＵＬ  ＣＣを前記第１の無線周波数スペクトル帯域におけるＰＵＣＣＨ  ＣＣに限定することと
をさらに備える、請求項１１に記載の方法。
【請求項１３】
前記サブフレームの間に前記第１の無線周波数スペクトル帯域において少なくとも１つのＰＵＳＣＨ送信が利用可能であると決定することと、
前記ＵＣＩが第１のタイプの情報を備えると決定することと、
前記第１のタイプの情報に少なくとも部分的に基づいて、前記利用可能なＵＬ  ＣＣを前記第１の無線周波数スペクトル帯域におけるＰＵＣＣＨ  ＣＣに限定することと
をさらに備える、請求項１１に記載の方法。
【請求項１４】
前記第１のタイプの情報は、スケジューリング要求（ＳＲ）、または肯定応答（ＡＣＫ）／否定応答（ＮＡＫ）、またはＳＲおよびＡＣＫ／ＮＡＫ、または周期的チャネル状態情報（ＣＳＩ）を備える、請求項１３に記載の方法。
【請求項１５】
前記サブフレームの間に前記第１の無線周波数スペクトル帯域において少なくとも１つのＰＵＳＣＨ送信が利用可能であると決定することと、
前記ＵＣＩが第２のタイプの情報を備えると決定することと、
前記第２のタイプの情報の第１の部分を送信するために、前記利用可能なＵＬ  ＣＣを前記第１の無線周波数スペクトル帯域におけるＰＵＳＣＨ  ＣＣに限定することと、
前記第２のタイプの情報の第２の部分を送信するために、前記利用可能なＵＬ  ＣＣを前記第１の無線周波数スペクトル帯域におけるＰＵＣＣＨ  ＣＣに限定することと
をさらに備える、請求項１１に記載の方法。
【請求項１６】
前記第２のタイプの情報は、周期的チャネル状態情報（ＣＳＩ）と、
スケジューリング要求（ＳＲ）、肯定応答／否定応答（ＡＣＫ／ＮＡＫ）、または前記ＳＲと前記ＡＣＫ／ＮＡＫとの組合せのうちの少なくとも１つとを備える、請求項１５に記載の方法。
【請求項１７】
前記第２のタイプの情報の前記第１の部分は前記周期的ＣＳＩを備え、前記第２のタイプの情報の前記第２の部分は前記ＳＲ、前記ＡＣＫ／ＮＡＫ、または前記ＳＲと前記ＡＣＫ／ＮＡＫとの前記組合せを備える、請求項１６に記載の方法。
【請求項１８】
前記ＵＣＩは、少なくとも１つのタイプの周期的ＵＣＩを備える、請求項１に記載の方法。
【請求項１９】
前記ＵＣＩは、すべてのタイプの周期的ＵＣＩを備える、請求項１に記載の方法。
【請求項２０】
前記ＵＣＩは、非周期的チャネル状態情報（ＣＳＩ）を備える、請求項１に記載の方法。
【請求項２１】
前記第２の無線周波数スペクトル帯域における第１のＵＬ  ＣＣを通じて、前記サブフレームに関して、前記第２の無線周波数スペクトル帯域における前記第１のＵＬ  ＣＣに関する非周期的チャネル状態情報（ＣＳＩ）を送信することをさらに備える、請求項１に記載の方法。
【請求項２２】
前記第１の無線周波数スペクトル帯域における第２のＵＬ  ＣＣを通じて、前記サブフレームに関して、前記第１の無線周波数スペクトル帯域における前記第２のＵＬ  ＣＣに関する非周期的ＣＳＩを送信することをさらに備える、請求項２１に記載の方法。
【請求項２３】
前記インジケータは前記ＵＣＩを備え、前記インジケータを送信することは、
前記第１の無線周波数スペクトル帯域における前記少なくとも１つのＵＬ  ＣＣのうちの１つまたは複数上で前記ＵＣＩを送信することを備える、請求項１に記載の方法。
【請求項２４】
前記ＵＣＩは、スケジューリング要求（ＳＲ）、または肯定応答（ＡＣＫ）／否定応答（ＮＡＫ）、または周期的チャネル状態情報（ＣＳＩ）、または非周期的ＣＳＩのうちの１つまたは複数を備える、請求項２３に記載の方法。
【請求項２５】
ワイヤレス通信のための装置であって、
プロセッサと、
前記プロセッサと電子通信しているメモリと
を備え、前記プロセッサおよびメモリは、
ユーザ機器（ＵＥ）に使用するアップリンク（ＵＬ）コンポーネントキャリア（ＣＣ）のセットを決定することと、ＵＬ  ＣＣの前記セットが、第１の無線周波数スペクトル帯域における少なくとも１つのＵＬ  ＣＣと第２の無線周波数スペクトル帯域における少なくとも１つのＵＬ  ＣＣとを備える、
サブフレームに関して、送信予定のアップリンク制御情報（ＵＣＩ）を識別することと、ここにおいて、前記ＵＣＩが１つまたは複数のＣＣに関連付けられる、
前記ＵＣＩの送信に利用可能なＵＬ  ＣＣを、前記第１の無線周波数スペクトル帯域における前記少なくとも１つのＵＬ  ＣＣに限定することと、
前記ＵＥのためのインジケータを送信することと、ここにおいて、前記インジケータが前記限定することに関連付けられる、
を行うように構成される、装置。
【請求項２６】
前記第１の無線周波数スペクトル帯域は専用無線周波数スペクトル帯域であり、前記第２の無線周波数スペクトル帯域は共有無線周波数スペクトル帯域である、請求項２５に記載の装置。
【請求項２７】
前記プロセッサおよびメモリは、
前記ＵＥが前記サブフレームの間の並列の物理アップリンク制御チャネル（ＰＵＣＣＨ）および物理アップリンク共有チャネル（ＰＵＳＣＨ）送信のために構成されないと決定するようにさらに構成される、請求項２５に記載の装置。
【請求項２８】
前記プロセッサおよびメモリは、
前記サブフレームの間に前記第１の無線周波数スペクトル帯域においてＰＵＳＣＨ送信が利用不可であると決定することと、
前記利用可能なＵＬ  ＣＣを前記第１の無線周波数スペクトル帯域におけるＰＵＣＣＨ  ＣＣに限定することと
を行うようにさらに構成される、請求項２７に記載の装置。
【請求項２９】
前記プロセッサおよびメモリは、
前記サブフレームの間に前記第１の無線周波数スペクトル帯域において少なくとも１つのＰＵＳＣＨ送信が利用可能であると決定することと、
前記利用可能なＵＬ  ＣＣを前記第１の無線周波数スペクトル帯域における第１のＰＵＳＣＨ  ＣＣに限定することと
を行うようにさらに構成される、請求項２７に記載の装置。
【請求項３０】
前記プロセッサおよびメモリは、
前記ＵＥが前記サブフレームの間の並列の物理アップリンク制御チャネル（ＰＵＣＣＨ）および物理アップリンク共有チャネル（ＰＵＳＣＨ）送信のために構成されると決定するようにさらに構成される、請求項２５に記載の装置。
【請求項３１】
前記インジケータは前記ＵＣＩを備え、前記ＵＥのための前記インジケータを送信するために、前記プロセッサおよびメモリは、
前記第１の無線周波数スペクトル帯域における前記少なくとも１つのＵＬ  ＣＣのうちの１つまたは複数上で前記ＵＣＩを送信するようにさらに構成される、請求項２５に記載の装置。
【請求項３２】
前記ＵＣＩは、スケジューリング要求（ＳＲ）、または肯定応答（ＡＣＫ）／否定応答（ＮＡＫ）、または周期的チャネル状態情報（ＣＳＩ）、または非周期的ＣＳＩのうちの１つまたは複数を備える、請求項３１に記載の装置。
【請求項３３】
ワイヤレス通信のための装置であって、
ユーザ機器（ＵＥ）に使用するアップリンク（ＵＬ）コンポーネントキャリア（ＣＣ）のセットを決定するための手段と、ＵＬ  ＣＣの前記セットが、第１の無線周波数スペクトル帯域における少なくとも１つのＵＬ  ＣＣと第２の無線周波数スペクトル帯域における少なくとも１つのＵＬ  ＣＣとを備える、
サブフレームに関して、送信予定のアップリンク制御情報（ＵＣＩ）を識別するための手段と、ここにおいて、前記ＵＣＩが１つまたは複数のＣＣに関連付けられる、
前記ＵＣＩの送信に利用可能なＵＬ  ＣＣを、前記第１の無線周波数スペクトル帯域における前記少なくとも１つのＵＬ  ＣＣに限定するための手段と、
前記ＵＥのためのインジケータを送信するための手段と、ここにおいて、前記インジケータが前記限定することに関連付けられる、
を備える装置。
【請求項３４】
前記インジケータは前記ＵＣＩを備え、前記インジケータを送信するための前記手段は、
前記第１の無線周波数スペクトル帯域における前記少なくとも１つのＵＬ  ＣＣのうちの１つまたは複数上で前記ＵＣＩを送信するための手段を備える、請求項３３に記載の装置。
【請求項３５】
前記ＵＣＩは、スケジューリング要求（ＳＲ）、または肯定応答（ＡＣＫ）／否定応答（ＮＡＫ）、または周期的チャネル状態情報（ＣＳＩ）、または非周期的ＣＳＩのうちの１つまたは複数を備える、請求項３４に記載の装置。
【請求項３６】
ワイヤレス通信のためのコンピュータ実行可能コードを記憶する非一時的コンピュータ可読媒体であって、前記コードは、
ユーザ機器（ＵＥ）に使用するアップリンク（ＵＬ）コンポーネントキャリア（ＣＣ）のセットを決定することと、ＵＬ  ＣＣの前記セットが、第１の無線周波数スペクトル帯域における少なくとも１つのＵＬ  ＣＣと第２の無線周波数スペクトル帯域における少なくとも１つのＵＬ  ＣＣとを備える、
サブフレームに関して、送信予定のアップリンク制御情報（ＵＣＩ）を識別することと、ここにおいて、前記ＵＣＩが１つまたは複数のＣＣに関連付けられる、
前記ＵＣＩの送信に利用可能なＵＬ  ＣＣを、前記第１の無線周波数スペクトル帯域における前記少なくとも１つのＵＬ  ＣＣに限定することと、
前記ＵＥのためのインジケータを送信することと、ここにおいて、前記インジケータが前記限定することに関連付けられる、
を行うようにプロセッサによって実行可能である、非一時的コンピュータ可読媒体。
【請求項３７】
前記インジケータは前記ＵＣＩを備え、前記インジケータを送信するための前記コードは、
前記第１の無線周波数スペクトル帯域における前記少なくとも１つのＵＬ  ＣＣのうちの１つまたは複数上で前記ＵＣＩを送信するように前記プロセッサによって実行可能である、請求項３６に記載の非一時的コンピュータ可読媒体。
【請求項３８】
前記ＵＣＩは、スケジューリング要求（ＳＲ）、または肯定応答（ＡＣＫ）／否定応答（ＮＡＫ）、または周期的チャネル状態情報（ＣＳＩ）、または非周期的ＣＳＩのうちの１つまたは複数を備える、請求項３７に記載の非一時的コンピュータ可読媒体。